(57)【要約】【課題】ＦＭＣを効率的に実現する通信システムを得ること。【解決手段】本発明は、認証機能、課金機能およびＰＤＰコンテキスト設定機能を有する交換機を含んだ移動通信網および無線通信機能を有する固定通信網を含んだ通信ネットワークと、移動通信網および固定通信網との無線通信機能を有する無線端末と、により構成される無線通信システムであって、無線端末は、交換機が有する機能を利用した端末認証およびＰＤＰコンテキストの設定を行い、端末認証およびＰＤＰコンテキスト設定が完了した後、固定通信網経由でユーザデータの送受信を行い、交換機が、固定通信網経由の送受信に対する課金を行う。【選択図】        図１
2008306382.tif 000002
【特許請求の範囲】
【請求項１】
認証機能、課金機能およびＰＤＰコンテキスト設定機能を有する交換機を含んだ移動通信網および無線通信機能を有する固定通信網を含んだ通信ネットワークと、当該移動通信網および当該固定通信網との無線通信機能を有する無線端末と、により構成される無線通信システムであって、
前記無線端末は、
前記移動通信網を用いた通信を行うことにより、前記交換機が有する機能を利用した端末認証およびＰＤＰコンテキストの設定を行い、
前記端末認証および前記ＰＤＰコンテキスト設定が完了した後、前記固定通信網経由でユーザデータの送受信を行い、
前記交換機が、
前記固定通信網経由の送受信に対する課金を行うことを特徴とする無線通信システム。
【請求項２】
前記無線端末が前記固定通信網経由で外部ネットワークとの間でユーザデータの送受信を行う場合、前記ＰＤＰコンテキストの設定では、前記通信ネットワークおよび当該外部ネットワークを接続するゲートウェイと、前記無線端末と、の間にユーザデータを送受信するためのトンネルを設定することを特徴とする請求項１に記載の無線通信システム。
【請求項３】
さらに、ＳＩＰサーバを備え、前記無線端末がＳＩＰシグナリング機能を有する場合、
前記無線端末は、
前記端末認証および前記ＰＤＰコンテキスト設定が完了した後、
ＳＩＰメッセージを含んだ第１のユーザデータを前記ＳＩＰサーバとの間で送受信する場合には前記移動通信網を用い、
ＳＩＰメッセージを含まない第２のユーザデータをその宛先通信装置との間で送信する場合には前記固定通信網を用いることを特徴とする請求項１に記載の無線通信システム。
【請求項４】
前記無線端末は、前記固定通信網経由での前記第２のユーザデータ送受信中に通信品質劣化を検出した場合、前記第２のユーザデータを送受信するための新たなＰＤＰコンテキストを前記移動通信網との間で設定し、以降、新たに設定したＰＤＰコンテキストを使用して前記第２のユーザデータを送受信することを特徴とする請求項３に記載の無線通信システム。
【請求項５】
前記無線端末は、前記固定通信網経由での前記第２のユーザデータ送受信中に通信品質劣化を検出した場合、前記第１のユーザデータを送受信するために前記移動通信網との間で設定済みのＰＤＰコンテキストの帯域を拡張し、以降、帯域が拡張された後のＰＤＰコンテキストを使用して前記第２のユーザデータを送受信することを特徴とする請求項３に記載の無線通信システム。
【請求項６】
前記移動通信網側では、網内の交換機が、前記無線端末が前記固定通信網と通信が可能な状態にあることを検出した場合、自身が管理しているいずれか一つのセル内に当該無線端末が継続的に存在していると判断し、その後、当該無線端末に対する着信を検出した場合には、通信履歴に基づいて特定した当該無線端末が存在しているセルに対してページングを行うことを特徴とする請求項１〜５のいずれか一つに記載の無線通信システム。
【請求項７】
前記ＳＩＰサーバは、
前記無線端末に対する着信を検出後、前記固定通信網経由で当該無線端末のページングを行い、当該ページングに対する応答が所定時間内に無い場合に、前記移動通信網経由で当該無線端末のページングを行うことを特徴とする請求項３、４または５に記載の無線通信システム。
【請求項８】
前記無線端末は、前記固定通信網との通信が可能となった時点で自身が位置している前記移動通信網のセルについての情報を前記ＳＩＰサーバへ登録し、
前記移動通信網側では、網内の交換機が、前記無線端末に対する着信通知を前記ＳＩＰサーバ経由で受けた場合、前記ＳＩＰサーバに登録されている情報が示すセルに対してページングを行うことを特徴とする請求項７に記載の無線通信システム。
【請求項９】
前記移動通信網側では、網内の交換機が、前記ページングに対する応答が所定時間内に無い場合、前記無線端末が存在する可能性のある複数のセルに対してページングを行うことを特徴とする請求項６、７または８に記載の無線通信システム。
【発明の詳細な説明】
【技術分野】
【０００１】
本発明は、移動通信サービスおよび固定通信サービスを単一のオペレータが提供するＦＭＣ（Fixed  Mobile  Convergence）サービスを効率的に実現するための無線通信システムに関する。
【背景技術】
【０００２】
ＦＭＣ（Fixed  Mobile  Convergence）では、例えば移動網のＷ−ＣＤＭＡ（Wideband  Code  Division  Multiple  Access）と固定網のＷＬＡＮ（Wireless  Local  Area  Network）の二つの無線インタフェースを持った携帯無線端末を使用し、屋外ではＷ−ＣＤＭＡ、自宅ではＷＬＡＮを使用して移動網・固定網で統一的なサービスを実現することを目標としている。統一的なサービスの代表的な例としては、ＯｎｅＰｈｏｎｅと呼ばれる一つの電話番号による屋外／屋内での電話発着信サービスがある。
【０００３】
このようなサービスを実現するために、ＮＧＮ（Next  Generation  Network）や３ＧＰＰ（3rd  Generation  Partnership  Project）でのＩＭＳ（IP  Multimedia  Subsystem）と呼ばれるネットワークを使用することを前提としている。ＦＭＣを実現するためには、たとえばＩＭＳがＷ−ＣＤＭＡやInternetなどの複数のＩＰアクセス網を収容し、統一的なサービスを提供する。
【０００４】
たとえば下記特許文献１にはＦＭＣを実現するための技術が記載されている。下記特許文献１に記載の技術では、屋外でＷ−ＣＤＭＡを使用しているユーザが、屋外でＶｏＩＰなどの電話発着信サービスを享受する場合、携帯端末はＳＩＰサーバにユーザＩＤ（例えばＵＳＩＭ（Universal  Subscriber  Identity  Module）に記憶されているＷ−ＣＤＭＡとＷＬＡＮ共通のＩＤ）とＷ−ＣＤＭＡネットワークから割り当てられたＩＰアドレスを登録している。その後、自宅に移動した場合、携帯端末は手動もしくは自動でインタフェースを切り替え、ＳＩＰサーバにユーザＩＤとＷＬＡＮに割り当てられたＩＰアドレスを再登録する。この機構により、同一ユーザＩＤによる着信がＷ−ＣＤＭＡとＷＬＡＮの双方で可能になる。
【０００５】
【特許文献１】特表２００１−５１７９１０号公報
【発明の開示】
【発明が解決しようとする課題】
【０００６】
たとえば、Ｗ−ＣＤＭＡオペレータがＦＭＣサービスを提供するため、新たにＷＬＡＮシステムを構築する場合、既に構築済みのＷ−ＣＤＭＡ無線システム内部の認証／秘匿／課金などのシステムを最大限に活用し、ＷＬＡＮシステムのための投資をできる限り抑えたいというニーズがある。しかしながら、たとえば図５に示したような構成のシステムを提供する場合、Ｗ−ＣＤＭＡオペレータは、ＷＬＡＮシステムについての認証／秘匿／課金などのシステムを新規に構築する必要があり、既存のシステムを有効利用することができない、という問題がある。加えて、ＷＬＡＮシステムを保有していないＷ−ＣＤＭＡオペレータは、ＷＬＡＮの認証／秘匿／課金システムを独自に構築できない可能性が高い。
【０００７】
また、複数のインタフェースを携帯端末が有する場合、待ち受け機能が整備されたインタフェース（この場合にはＷ−ＣＤＭＡ）で常に着信を待ちうけ、着信時のページングにおいて実際に使用するインタフェースの電源を自動で投入するという手法が提案されていた。しかしながら、ＦＭＣ環境下で携帯端末が自宅に存圏する場合には、ＦＭＣならではのユーザ特性から、オペレータから見て、より効率的にページング制御をすることが臨まれる。
【０００８】
本発明は、上記に鑑みてなされたものであって、Ｗ−ＣＤＭＡなどの移動体通信のオペレータが既存設備を最大限に利用し、ＦＭＣを効率的に実現する通信システムを得ることを目的とする。
【課題を解決するための手段】
【０００９】
上述した課題を解決し、目的を達成するために、本発明は、認証機能、課金機能およびＰＤＰコンテキスト設定機能を有する交換機を含んだ移動通信網および無線通信機能を有する固定通信網を含んだ通信ネットワークと、当該移動通信網および当該固定通信網との無線通信機能を有する無線端末と、により構成される無線通信システムであって、前記無線端末は、前記移動通信網を用いた通信を行うことにより、前記交換機が有する機能を利用した端末認証およびＰＤＰコンテキストの設定を行い、前記端末認証および前記ＰＤＰコンテキスト設定が完了した後、前記固定通信網経由でユーザデータの送受信を行い、前記交換機が、前記固定通信網経由の送受信に対する課金を行うことを特徴とする。
【発明の効果】
【００１０】
この発明によれば、既存の移動体通信網が有する端末認証・課金システムを使用して、ＷＬＡＮ網（固定通信網）に接続する無線端末の認証・課金を行うので、ユーザ認証、課金などのシステムをＷＬＡＮ網側に新たに構築する必要がなくなる。これにより、たとえば、移動体通信網のオペレータが新たに固定通信網を構築してＦＭＣサービスを提供しようとする場合、固定通信網の設備を簡素化して効率的にＦＭＣを実現することができる。
【発明を実施するための最良の形態】
【００１１】
以下に、本発明にかかる通信システムの実施の形態を図面に基づいて詳細に説明する。なお、この実施の形態によりこの発明が限定されるものではない。
【００１２】
実施の形態１．
図１は、本発明にかかる通信システムの実施の形態１の構成例を示す図である。この通信システムは、Ｗ−ＣＤＭＡ（移動体通信）とＷＬＡＮ（固定通信）の二つの無線インタフェースを持った無線端末１１と、無線端末１１を利用しているユーザが自宅で構築しているＷＬＡＮ１２と、Ｗ−ＣＤＭＡネットワーク（W-CDMA  Network）の基地局１３と、により構成され、無線端末１１は、サーバ１４との間でユーザデータの送受信を行う。また、Ｗ−ＣＤＭＡネットワークとＩＭＳ（IP  Multimedia  Subsystem）は接続点１５を介して接続され、ＷＬＡＮ１２が接続されたインターネット（Internet）とＩＭＳは接続点１６を介して接続されている。
【００１３】
図１に示した構成の通信システムの無線端末１１がＷＬＡＮ１２を介して通話またはパケット通信を行う場合の制御手順を以下に説明する。なお、無線端末１１は、ＷＬＡＮ１２に在圏する場合であってもＷ−ＣＤＭＡネットワークの基地局１３へアクセス可能であるものとする。また、Ｗ−ＣＤＭＡネットワークは、ユーザ（無線端末）の認証システム、課金システムを有し、ユーザの認証および課金が可能であるものとする。
【００１４】
無線端末１１が自宅のＷＬＡＮ１２に在圏するときに通話またはパケット通信を行う際、まず無線端末１１は、Ｗ−ＣＤＭＡネットワークの基地局１３を介してユーザ認証制御などを行うために、無線制御パス１８の設定を行う。無線制御パス１８を確立した無線端末１１は、次に無線制御パス１８を用いた通信を行い、Ｗ−ＣＤＭＡネットワーク内の交換機（図示せず）に対するサービスの要求およびユーザ認証を行う。そして、当該交換機が所定の処理を実行し、サービスの要求およびユーザ認証が終了し、接続が許可されると、当該交換機へＷＬＡＮ１２を使用する無線インタフェースとして報告する。これにより、ＰＤＰコンテキストの設定を行い、ＷＬＡＮ１２を介したインターネットへのアクセスを可能として、インタフェース１７を確立する。その後、無線端末１１は、ＷＬＡＮ１２を介して（インタフェース１７を用いて）、音声、パケットおよび制御用のＳＩＰメッセージなどのユーザデータのみをサーバ１４との間で送受信する。
【００１５】
なお、サービス要求の受付、ユーザ認証、などの各種機能は上記交換機が有してもよいし、交換機に接続された他の装置が有してもよい。また、各機能をそれぞれ異なる装置が有するなど、その実現方法は問わない。
【００１６】
以上のような制御を行うことにより、Ｗ−ＣＤＭＡ（移動体通信）のオペレータは、無線端末がＷＬＡＮを経由した固定通信網と通信する際の端末認証および課金を、既存設備であるＷ−ＣＤＭＡの端末認証・課金システムを使用して行うことが可能となり、ＷＬＡＮ網にユーザ認証、課金などのシステムを構築する必要がなくなる。すなわち、既存設備を有効利用し、ＦＭＣサービスを効率的に実現できる。また、オペレータが移動体通信網および固定通信網を新たに構築してＦＭＣサービスを実現する場合には、移動体通信網側のみに端末認証・課金システムを構築すればよいので、設備構成を簡素化することができる。
【００１７】
実施の形態２．
つづいて、実施の形態２の通信システムについて説明する。図２は、本発明にかかる通信システムの実施の形態２の構成例を示す図である。この通信システムは、Ｗ−ＣＤＭＡとＷＬＡＮの二つの無線インタフェースを持った無線端末１１と、無線端末１１を利用しているユーザが自宅で構築しているＷＬＡＮ１２と、Ｗ−ＣＤＭＡネットワークの基地局１３と、Ｗ−ＣＤＭＡオペレータが運用しているＩＳＰ（Internet  Service  Provider）内にトラフィックを誘導するためのゲートウェイ２４と、により構成され、無線端末１１は、サーバ２５にアクセスし、ユーザデータの送受信を行う。また、Ｗ−ＣＤＭＡネットワークとＩＭＳは接続点１５を介して接続され、ＷＬＡＮ１２が接続されたインターネットとＩＭＳは接続点１６を介して接続されている。なお、無線端末１１、ＷＬＡＮ１２および基地局１３は、上述した実施の形態１の無線端末、ＷＬＡＮおよび基地局と同一である。
【００１８】
図２に示した構成の通信システムの無線端末１１がＷＬＡＮ１２を介して通話またはパケット通信を行う場合の制御手順を以下に説明する。なお、無線端末１１は、ＷＬＡＮ１２に在圏する場合であってもＷ−ＣＤＭＡネットワークの基地局１３へアクセス可能であるものとする。また、Ｗ−ＣＤＭＡネットワークは、ユーザ（無線端末）の認証システム、課金システムを有し、ユーザの認証および課金が可能であるものとする。
【００１９】
無線端末１１が自宅のＷＬＡＮ１２に在圏するときに通話またはパケット通信を行う際、まず無線端末１１は、Ｗ−ＣＤＭＡネットワークの基地局１３を介してユーザ認証制御などを行うために、無線制御パス２９の設定を行う。無線制御パス２９を確立した無線端末１１は、次に無線制御パス２９を用いた通信を行い、Ｗ−ＣＤＭＡネットワーク内の交換機に対するサービスの要求およびユーザ認証を行う。そして、当該交換機が所定の処理を実行し、サービスの要求およびユーザ認証が終了し、接続が許可されると、ＰＤＰコンテキストの設定を行い、ゲートウェイ２４のＩＰアドレスとトンネル内で送信されるカプセル化された無線端末１１のＩＰアドレスを設定することで、無線端末１１とゲートウェイ２４の間にトンネル２８を設定する。これにより、Ｗ−ＣＤＭＡオペレータが運用するＩＳＰネットワーク内にＷＬＡＮトラフィックを誘導し、サーバ２５との間でパケットおよび制御用のＳＩＰメッセージなどのユーザデータの通信を行う。
【００２０】
なお、サービス要求の受付、ユーザ認証、などの各種機能は上記交換機が有してもよいし、交換機に接続された他の装置が有してもよい。また、各機能をそれぞれ異なる装置が有するなど、その実現方法は問わない。
【００２１】
以上のような制御を行うことにより、Ｗ−ＣＤＭＡのオペレータは、無線端末がＷＬＡＮを経由した固定通信網と通信する際の端末認証および課金を、既存設備であるＷ−ＣＤＭＡの端末認証・課金システムを使用して行うことが可能となる。これにより、ＦＭＣサービスを効率的に実現できる。
【００２２】
実施の形態３．
つづいて、実施の形態３の通信システムについて説明する。図３は、本発明にかかる通信システムの実施の形態３の構成例を示す図である。この通信システムは、Ｗ−ＣＤＭＡとＷＬＡＮの二つの無線インタフェースを持った無線端末１１と、無線端末１１を利用しているユーザが自宅で構築しているＷＬＡＮ１２と、Ｗ−ＣＤＭＡネットワークの基地局１３と、ＵＳＩＭに記憶されているユーザＩＤやＷ−ＣＤＭＡネットワークから割当てられたＩＰアドレスなどを管理／制御するＳＩＰサーバ３５と、により構成され、無線端末１１は、サーバ３４にアクセスし、パケットなどのユーザデータの送受信を行う。なお、サーバ３４を無線端末１１の相手ＶｏＩＰ無線端末に置き換えた構成であってもよい。また、Ｗ−ＣＤＭＡネットワークとＩＭＳは接続点１５を介して接続され、ＷＬＡＮ１２が接続されたインターネットとＩＭＳは接続点１６を介して接続されている。また、無線端末１１、ＷＬＡＮ１２および基地局１３は、上述した実施の形態１の無線端末、ＷＬＡＮおよび基地局と同一である。
【００２３】
図３に示した構成の通信システムの無線端末１１がＷＬＡＮ１２を介して通話またはパケット通信を行う場合の制御手順を以下に説明する。なお、無線端末１１は、ＷＬＡＮ１２に在圏する場合であってもＷ−ＣＤＭＡネットワークの基地局１３へアクセス可能であるものとする。また、Ｗ−ＣＤＭＡネットワークは、ユーザ（無線端末）の認証システム、課金システムを有し、ユーザの認証および課金が可能であるものとする。
【００２４】
無線端末１１が自宅のＷＬＡＮ１２に在圏するときに通話またはパケット通信を行う際、まず無線端末１１は、Ｗ−ＣＤＭＡネットワークの基地局１３を介してユーザ認証制御などを行うために、無線制御パス３９の設定を行う。無線制御パス３９を確立した無線端末１１は、次に無線制御パス３９を用いた通信を行い、Ｗ−ＣＤＭＡネットワーク内の交換機に対するサービスの要求およびユーザ認証を行う。そして、当該交換機が所定の処理を実行し、サービスの要求およびユーザ認証が終了し、接続が許可されると、Ｗ−ＣＤＭＡ制御を行うためのパス４０および接続点３６を介して、すなわち無線制御パス３９を使用して、ＳＩＰサーバ３５との間でＳＩＰメッセージをユーザデータとして送受信する。
【００２５】
一方、パケットなどの（ＳＩＰメッセージ以外の）ユーザデータの通信を行う場合、無線端末１１は、無線制御パス３９を使用してＳＩＰメッセージ（ＩＮＶＩＴＥメッセージ）を送信し、ユーザデータ通信用パス３８を設定するためのＩＰアドレスとしてＷＬＡＮによって割当てられたＩＰアドレスを通知する。これによりユーザデータ通信用パス３８を確立し、無線端末１１は、確立したパス３８を使用して、サーバ３４との間でパケットなどのユーザデータの通信を行う。
【００２６】
なお、サービス要求の受付、ユーザ認証、などの各種機能は上記交換機が有してもよいし、交換機に接続された他の装置が有してもよい。また、各機能をそれぞれ異なる装置が有するなど、その実現方法は問わない。
【００２７】
また、伝送品質の低下などの問題を無線端末１１が検出した場合には、ＷＬＡＮ経由のコネクション（ユーザデータ通信用パス３８）が切断されることを考慮し、Ｗ−ＣＤＭＡ制御を行うためのパス４０にユーザデータの送受信を行うための新たなパスであるセカンダリＰＤＰコンテキスト（Secondary  Packet  Data  Protocol  Context）を設定する。すなわち、サーバ３４との間でユーザデータを送受信するパスを切り替えるためのＳＩＰメッセージを送信することにより、サーバ３４との間でユーザデータを通信するＩＰアドレスをＷ−ＣＤＭＡ側のＩＰアドレスに切り替える（ＷＬＡＮを経由したユーザデータ通信用パス３８からパス４０に新たに設定したパスに切り替える）。以降、この新たに設定したパスを使用してパケットなどのユーザデータの送受信をサーバ３４との間で行う。これにより、ＷＬＡＮ経由のコネクション（パス３８）が切断される前にユーザデータの送受信先を切り替え、通信の確立を維持できる。
【００２８】
なお、ＷＬＡＮを使用した通信中に伝送品質の低下などの問題を検出した場合、Ｗ−ＣＤＭＡネットワークとの間で新たなパスを設定するのではなく、既存のパスを利用してユーザデータの送受信を行うようにしてもよい。具体的には、無線端末１１が伝送品質の低下などの問題を検出した場合、Ｗ−ＣＤＭＡネットワークに対して、ＳＩＰメッセージの送受信を行う無線制御パス３９（既存パス）の帯域を拡張するようにＷ−ＣＤＭＡ制御用のパス４０を用いて要求を行う。そして、帯域の確保が確認でき次第、ＷＬＡＮを経由するパス３８から帯域が拡張された後のパス３９を使用したユーザデータの送受信に切り替えるようにしてもよい。
【００２９】
また、図３に示した構成では、パス３９およびパス４０は共にＷ−ＣＤＭＡネットワークの基地局１３を経由しており、ＳＩＰサーバ３５からは無線端末１１が基地局１３のエリアに在圏しているように見える。この場合、従来のＷ−ＣＤＭＡネットワークでは、無線端末１１へ着信を通知するための制御信号（無線端末１１をページングするためのページング信号）を無線端末１１が在圏している基地局１３以外の基地局からも送信し、トラフィックが増大してしまうという問題がある。そのため、本実施の形態のＷ−ＣＤＭＡネットワークでは、無線端末１１が自宅（ＷＬＡＮ１２のエリア内）にいることを検知した場合、無線端末１１は継続的に同一基地局に在圏していると判断する。そして、この状態で無線端末１１への着信が発生した場合には、ページング信号を無線端末１１が在圏している基地局１３のセルのみへ送信する。これにより、Ｗ−ＣＤＭＡネットワークでトラフィックが増大するのを防止できる。
【００３０】
一方、無線端末１１が自宅（ＷＬＡＮ１２）から離れたことを検知した場合、Ｗ−ＣＤＭＡネットワークは、無線端末１１に対するページングを複数の基地局のセルから送信する通常のページングモードに移行する。なお、無線端末１１が自宅にいるかどうかは、ＷＬＡＮ１２と通信するために実行された、Ｗ−ＣＤＭＡネットワークの基地局１３を介した通信履歴などから認識可能である。また、この制御（無線端末のページング制御）は、上述した実施の形態１および２に対しても適用可能である。
【００３１】
また、Ｗ−ＣＤＭＡネットワークがページングエリアを動的に制御することが不可能な場合であっても、以下のような制御を行うことによりＷ−ＣＤＭＡネットワークでトラフィックが増大するのを防止できる。
【００３２】
まず、自宅で動作することを無線端末１１が選択したときに、無線端末１１は保持しているコネクションを確立しているセル情報を、パス３９を使用してＳＩＰサーバ３５に通知する。そして、ＳＩＰサーバ３５にセル情報を登録した後に、無線端末１１への着信が発生すると、ＳＩＰサーバ３５が登録されているセル情報を含むページングのトリガをＷ−ＣＤＭＡネットワークへ送信し、それを受信したＷ−ＣＤＭＡネットワークは、ＳＩＰサーバ３５から指定された基地局（この例では無線端末１１が在圏している基地局１３）のみからページング信号を送信する。
【００３３】
このように、本実施の形態の無線端末は、ＷＬＡＮ経由でパケットなどのユーザデータの送受信を行う場合、サービスの要求とユーザ認証をＷ−ＣＤＭＡの交換機に対して行うこととした。また、ＳＩＰサーバとの間のＳＩＰメッセージの送受信をＷＬＡＮではなくＷ−ＣＤＭＡネットワークを介して行うこととした。これにより、Ｗ−ＣＤＭＡのオペレータは、Ｗ−ＣＤＭＡの端末認証・課金システムを使用可能となり、ＷＬＡＮ網にユーザ認証、課金などのシステムを構築することなくユーザ認証・課金などを行うことができる。この結果、ＦＭＣサービスを効率的に実現できる。
【００３４】
また、伝送品質の低下などを検出し、ＷＬＡＮを経由したパスでの通信が不可能となるおそれがあると判断した場合、Ｗ−ＣＤＭＡネットワークを経由したパスの設定を行い、ユーザデータを送受信するためのパスをＷ−ＣＤＭＡネットワーク経由のパスに切り替えるようにしたので、ＷＬＡＮ経由での通信が難しくなった後でも通信を維持することができる。
【００３５】
さらに、Ｗ−ＣＤＭＡネットワーク経由で無線端末へ送信されるページング信号を、当該無線端末が在圏している基地局のセルのみから送信するようにしたので、着信発生時にＷ−ＣＤＭＡネットワークでトラフィックが増大するのを防止できる。
【００３６】
なお、Ｗ−ＣＤＭＡネットワーク経由で無線端末へ送信されるページングを、当該無線端末が在圏している基地局のセルのみから送信するようにした場合、ページングに対する無線端末からの応答が所定時間内にあるかどうかを確認し、所定時間内に応答が無ければ複数の基地局のセルからページングを送信する通常のページングモードに移行するようにしてもよい。これにより、ページング対象の無線端末に対して確実に着信を通知できる。
【００３７】
実施の形態４．
つづいて、実施の形態４の通信システムについて説明する。図４は、本発明にかかる通信システムの実施の形態４の構成例を示す図である。この通信システムは、Ｗ−ＣＤＭＡとＷＬＡＮの二つの無線インタフェースを持った無線端末１１と、無線端末１１を利用しているユーザが自宅で構築しているＷＬＡＮ１２と、Ｗ−ＣＤＭＡネットワークの基地局１３と、ＵＳＩＭに記憶されているユーザＩＤやＷ−ＣＤＭＡネットワークから割当てられたＩＰアドレスなどを管理／制御するＳＩＰサーバ４５と、により構成され、無線端末１１は、サーバ４４にアクセスし、パケットなどのユーザデータの送受信を行う。なお、サーバ４４を無線端末１１の相手ＶｏＩＰ無線端末に置き換えた構成であってもよい。また、Ｗ−ＣＤＭＡネットワークとＩＭＳは接続点１５を介して接続され、ＷＬＡＮ１２が接続されたインターネットとＩＭＳは接続点１６を介して接続されている。また、無線端末１１、ＷＬＡＮ１２および基地局１３は、上述した実施の形態１の無線端末、ＷＬＡＮおよび基地局と同一である。
【００３８】
図４に示した構成の通信システムの無線端末１１がＷＬＡＮ１２を介して通話またはパケット通信を行う場合の制御手順を以下に説明する。なお、無線端末１１は、ＷＬＡＮ１２に在圏する場合であってもＷ−ＣＤＭＡネットワークの基地局１３へアクセス可能であるものとする。また、Ｗ−ＣＤＭＡネットワークは、ユーザ（無線端末）の認証システム、課金システムを有し、ユーザの認証および課金が可能であるものとする。
【００３９】
無線端末１１が自宅のＷＬＡＮ１２に在圏するときに通話またはパケット通信を行う際、まず無線端末１１は、Ｗ−ＣＤＭＡネットワークの基地局１３を介してユーザ認証制御などを行うために、無線制御パス５０の設定を行う。無線制御パス５０を確立した無線端末１１は、次に無線制御パス５０を用いた通信を行い、Ｗ−ＣＤＭＡネットワーク内の交換機に対するサービスの要求およびユーザ認証を行う。そして、当該交換機が所定の処理を実行し、サービスの要求およびユーザ認証が終了し、接続が許可されると、Ｗ−ＣＤＭＡ制御を行うためのパス５１および接続点４６を介して、すなわち無線制御パス５０を使用して、ＳＩＰサーバ４５との間でＳＩＰメッセージをユーザデータとして送受信する。
【００４０】
また、無線端末１１とＳＩＰサーバ４５がＷＬＡＮ１２を介してＳＩＰメッセージの送受信を行うためのパス４９を設定する。
【００４１】
なお、サービス要求の受付、ユーザ認証、などの各種機能は上記交換機が有してもよいし、交換機に接続された他の装置が有してもよい。また、各機能をそれぞれ異なる装置が有するなど、その実現方法は問わない。
【００４２】
この状態でＳＩＰサーバ４５が無線端末１１に対する着信を検出した場合、本実施の形態の通信システムでは、ＳＩＰサーバ４５から無線端末１１に対するページングをＷＬＡＮ経由のパス４９を用いて行う。無線端末１１は、ページングに応答して通信を開始する場合、ユーザデータの送受信を行うために、ユーザデータ用パス４８を設定し、このユーザデータ用パス４８を使用してパケット等のデータの送受信を行う。このような制御を行うことにより、無線端末１１へのページングが発生した場合にＷ−ＣＤＭＡネットワークでトラフィックが増大するのを防止する。また、パス４９を用いたページングを開始後、所定時間内に応答がない場合、上述した実施の形態３で示したＷ−ＣＤＭＡネットワーク経由のページングのいずれかを実行するようにしてもよい。
【００４３】
このように、本実施の形態では、無線端末は、ＷＬＡＮ経由でパケットなどのユーザデータの送受信を行う場合、サービスの要求とユーザ認証をＷ−ＣＤＭＡの交換機に対して行うこととした。また、無線端末のページングを行う場合には、ＷＬＡＮ経由のパスを使用することとした。これにより、Ｗ−ＣＤＭＡのオペレータは、Ｗ−ＣＤＭＡの端末認証・課金システムを使用しつつ無線端末のページングを行う際にＷ−ＣＤＭＡネットワーク上のトラフィックが増大するのを防止することができる。
【産業上の利用可能性】
【００４４】
以上のように、本発明にかかる通信システムは、ＦＭＣサービスを実現する場合に有用であり、特に、Ｗ−ＣＤＭＡネットワークなど、既に無線通信ネットワークを構築済みの通信オペレータが既存の設備を有効利用しつつＷＬＡＮシステムを新たに構築してＦＭＣサービスを提供する場合に適している。
【図面の簡単な説明】
【００４５】
【図１】本発明にかかる通信システムの実施の形態１の構成例を示す図である。
【図２】本発明にかかる通信システムの実施の形態２の構成例を示す図である。
【図３】本発明にかかる通信システムの実施の形態３の構成例を示す図である。
【図４】本発明にかかる通信システムの実施の形態４の構成例を示す図である。
【図５】従来の通信システムを説明するための図である。
【符号の説明】
【００４６】
１１  無線端末
１２  ＷＬＡＮ
１３  基地局
１４、２５、３４、４４  サーバ
１５、１６  接続点
１７  インタフェース
１８、２９、３９、５０  無線制御パス
２４  ゲートウェイ
２８  トンネル
３５、４５  ＳＩＰサーバ
３８  ユーザデータ通信用パス
４０、５１  Ｗ−ＣＤＭＡ制御を行うためのパス
４８  ユーザデータ用パス
４９  ＳＩＰメッセージの送受信を行うためのパス
【図１】
2008306382.tif 000003
【図２】
2008306382.tif 000004
【図３】
2008306382.tif 000005
【図４】
2008306382.tif 000006
【図５】
2008306382.tif 000007